(57)【要約】      （修正有）【課題】眼鏡形態でのカスタマイズ型設計をしながら重さを最大限に分散し、眼鏡を着用したときと同じ感じを有することができる人体工学的な有害閃光遮断と防眩用の電子保護眼鏡を提供する。【解決手段】一対のＬＣＤレンズ１００が左右に嵌められた状態で顔に着用するものであって、前記左右ＬＣＤレンズ間には有害閃光を感知するための光センサー２１０が設置された眼鏡のフレーム２００であり、一側端にはバッテリーを装着するための電源供給装置３１０が形成され、他側端には制御スイッチ部が設置され、前記ＬＣＤレンズ１００が形成された前方部と、前記バッテリー及び制御部を含む制御スイッチ部が形成された後方部とに重さを分散し、着用者に重さのバランスを与えるようにした有害閃光遮断と防眩用の電子保護眼鏡を構成する。【選択図】図１
2014137597.tif 000002
【特許請求の範囲】
【請求項１】
有害閃光を遮蔽するための一対のＬＣＤレンズ；
前記一対のＬＣＤレンズが左右に嵌められた状態で顔に着用するものであって、枠は顔に密着するように後方に突出し、前記左右ＬＣＤレンズ間には有害閃光を感知するための光センサーが設置された眼鏡のフレーム；及び
前記眼鏡のフレームの両側に結合された状態で耳にかけて着用するものであって、一側端にはバッテリーを装着するための電源供給装置が形成され、他側端には制御スイッチ部が設置され、内部には電源供給装置と制御スイッチ部とを互いに連結するための回路線が内蔵された眼鏡のテンプル；を含み、
前記ＬＣＤレンズが形成された前方部と、前記バッテリー及び制御部を含む制御スイッチ部が形成された後方部とに重さを分散し、着用者に重さのバランスを与えるようにした有害閃光遮断と防眩用の電子保護眼鏡。
【請求項２】
前記眼鏡のフレームは、前方フレーム及び後方フレームを含んで構成され、それらの間には、前記ＬＣＤレンズの枠が嵌められ、前記光センサーが収容されて装着され、
前記前方フレームの中央には、前記光センサーが有害閃光を感知するための感知口が形成された状態で枠が後方に突出し、前記後方フレームは、前記前方フレームの枠の内部に収容されて締結されるように形成されながら、後方中央には前記鼻支え台の下部両側が結合されるように形成され、前記鼻支え台の上部には、前方に突出しながら上側後方に折り曲げられる一方、前記の折り曲げられた上部面に前後に多段の係止突起が形成された弾性片が形成され、前記後方フレームの中央下部には、前記係止突起が係止され、勾配が調節されるように段が形成されたことを特徴とする、請求項１に記載の有害閃光遮断と防眩用の電子保護眼鏡。
【請求項３】
前記眼鏡のフレームの中央後方に結合された状態で鼻の上に支えられて着用するものであって、下部両側は前記眼鏡のフレームの両側に結合され、上部は、前記眼鏡のフレームから引っ張ったり、前記眼鏡のフレームを押して勾配を調節するように形成された鼻支え台をさらに追加したことを特徴とする、請求項１に記載の有害閃光遮断と防眩用の電子保護眼鏡。
【請求項４】
前記電源供給装置は、コイン形態のバッテリーと、ヒンジが形成されたバッテリーカバーと、を含むことを特徴とする、請求項１に記載の有害閃光遮断と防眩用の電子保護眼鏡。
【請求項５】
前記眼鏡のフレームに結合され、前記眼鏡のフレームの突出した枠から左右側と下部側を延ばし、オープンされた上部を有する補助フレームを含んで構成されたことを特徴とする、請求項１に記載の有害閃光遮断と防眩用の電子保護眼鏡。
【請求項６】
前記鼻支え台の後方両側には、後方に突出した‘Ｌ’字状の嵌め突起が形成され、クッションカバーの両側には、前記嵌め突起を押しながら嵌めて固定するための嵌め穴が形成される一方、上部には、前記弾性片の端が嵌められた状態で露出し、手で前記弾性片を押せるようにプッシュホールが形成されたことを特徴とする、請求項２に記載の有害閃光遮断と防眩用の電子保護眼鏡。
【請求項７】
前記制御スイッチ部は、溶接作業時に溶接スイッチ（Ｗ）を押した後、所望の濃度の黒化（９段階、１０段階、１１段階）状態の段階を選択したり、カッティング／グラインディング作業時にカッティング／グラインディングスイッチ（Ｃ）を押した後、所望の状態の黒化（５段階、６段階）状態の段階を選択することによって、作業場又は作業用途の光の強さに対する反応敏感度を調節し、黒化状態に制御する敏感度（ＳＥＮＳＩＴＩＶＩＴＹ）スイッチ（ＳＥ）で敏感度を選択し、作業環境に応じて敏感度を上（Ｈ）、中（Ｍ）、下（Ｌ）から選択するように形成されたことを特徴とする、請求項１に記載の有害閃光遮断と防眩用の電子保護眼鏡。
【請求項８】
前記制御スイッチ部には、バッテリー残量表示ランプ、溶接モードの状態のスイッチ、カッティング／グラインディングモード状態のスイッチ及び敏感度スイッチが形成され、溶接又はカッティング／グラインディング作業をスイッチで選択して行えることを特徴とする、請求項１に記載の有害閃光遮断と防眩用の電子保護眼鏡。
【請求項９】
前記有害閃光を遮蔽するための一対のＬＣＤレンズの前方には、ＬＣＤレンズを保護するために便利に着脱するように側面に突出突起と離脱突起が形成された透明カバーが装着されたことを特徴とする、請求項１に記載の有害閃光遮断と防眩用の電子保護眼鏡。
【請求項１０】
前記眼鏡のフレームは、前方フレーム及び後方フレームを含んで構成され、
中央に形成された嵌め溝及び前記中央の左右側面に形成された嵌め溝を含む後方フレームと、前記後方フレームの嵌め溝に結合されるように中央の嵌め突起と側面の嵌め突起がそれぞれ形成され、前記前方フレームの側面を取り囲むように翼面が形成され、前記翼面の側面に離脱突起と締結口が多数形成された硬質の内部ハウジングと、
前記内部ハウジングの離脱突起及び締結口が、前記前方フレームに形成された離脱溝及び結合突起に結合され、前記離脱突起を引っ張ると、前記離脱突起及び前記締結口と離脱溝及び結合突起とが便利に離脱するように形成され、着用者の顔面に密着するように軟質の外部ハウジングと、が二重射出を通して形成された側面保護フレームが備えられたことを特徴とする、請求項１に記載の有害閃光遮断と防眩用の電子保護眼鏡。
【請求項１１】
前記有害閃光遮蔽用の電子保護眼鏡は、医療用の保護眼鏡、産業用の保護眼鏡、スポーツ用の眼鏡、サングラス、ファッション眼鏡のうち一つであることを特徴とする、請求項１に記載の有害閃光遮蔽用の電子保護眼鏡。
【発明の詳細な説明】
【技術分野】
【０００１】
本発明は、有害閃光から目を保護するものであって、前面にはレンズ部が配列され、眼鏡のテンプルの後方面には調節部及びバッテリーが配列されることによって人体工学的に重さの平衡をなして形成されるので着用感に優れ、眼鏡着用者の便宜上、着用者の顔面に密着させるための軟質の外部ハウジングと硬質の内部ハウジングとが二重射出を通して形成され、ＬＣＤレンズと目との間の距離を調節できるだけでなく、多様な顔の形態と鼻の高さに合わせて楽に着用できる有害閃光遮断と防眩用の電子保護眼鏡に関する。
【背景技術】
【０００２】
一般に、有害閃光遮蔽用の電子保護眼鏡は、有害閃光から着用者の目を保護するためのものであって、例えば、溶接時に発生する閃光から目を保護したり、レーザー施術時に発生する閃光から目を保護するために使用される。このような有害閃光遮蔽用の電子保護眼鏡は、通常、光センサーを通して有害閃光が感知されると、ＬＣＤレンズが有害閃光を遮蔽するように構成されている。ここで、前記ＬＣＤレンズは、普段は透明であるが、有害閃光が発生すると、暗く変わって有害閃光を遮蔽する。
しかし、このような有害閃光遮蔽用の電子保護眼鏡は、光センサーとＬＣＤレンズの他に、バッテリー及び開放を遅延する制御装置をさらに構成しなければならないので、眼鏡形態でのカスタマイズ型設計が難しいだけでなく、前記眼鏡形態の有害閃光遮蔽用の電子保護眼鏡を着用したときの鼻支え台の形態が固定されており、多くの着用者の顔の形態や鼻の高さに合わせて適宜着用できないという不便さがある。特に、使用者が視力校正のための眼鏡を着用している場合は、前記有害閃光遮蔽用の電子保護眼鏡を眼鏡の前に重ねて着用しなければならないが、このとき、前記有害閃光遮蔽用の電子保護眼鏡が顔から離隔しながら眼鏡の下と左右に隙間が発生し、有害閃光を安全に遮蔽できないという短所がある。
また、従来の先行特許技術（特許文献１）においては、レンズ、制御部及びバッテリーが全て前方面に配置されており、重心が前方に偏るという問題があった。特に、重さにより、密着力を高めるために圧迫バンドを用いて眼鏡を頭に固定する方式を使用するので、着用者の着用が不便であり、長時間使用時の圧迫感によって疲労が増大するという問題があった。
【先行技術文献】
【特許文献】
【０００３】
【特許文献１】韓国特許登録第１０―１２８５６０２号（２０１３年７月８日）
【発明の概要】
【発明が解決しようとする課題】
【０００４】
本発明の目的は、眼鏡形態でのカスタマイズ型設計をしながら重さを最大限に分散し、眼鏡を着用したときと同じ感じを有することができる人体工学的な有害閃光遮断と防眩用の電子保護眼鏡を提供することにある。
本発明の他の目的は、医療用施術時に発生する非常に強い可視光線から目を保護できる有害閃光遮断と防眩用の電子保護眼鏡を提供することにある。
本発明の更に他の目的は、眼鏡用に便利に溶接できる有害閃光遮断と防眩用の電子保護眼鏡を提供することにある。
本発明の更に他の目的は、視力保護用の眼鏡の前に重ねて着用した場合にも、内部に載せられる空間が形成され、眼鏡の下と左右に隙間が発生しないように形成された電子保護眼鏡を提供することにある。
本発明の更に他の目的は、鼻支え台の調節が可能な有害閃光遮蔽用の電子保護眼鏡を提供することにある。
本発明の更に他の目的は、着用者の顔面に密着させるための軟質の外部ハウジングと、便利に着脱するための硬質の内部ハウジングとが二重射出を通して形成された側面保護フレームが備えられた有害閃光遮断と防眩用の電子保護眼鏡を提供することにある。
【課題を解決するための手段】
【０００５】
本発明は、有害閃光を遮蔽するための一対のＬＣＤレンズ；前記一対のＬＣＤレンズが左右に嵌められた状態で顔に着用するものであって、枠は顔に密着するように後方に突出し、前記左右のＬＣＤレンズ間には有害閃光を感知するための光センサーが設置された眼鏡のフレーム；及び前記眼鏡のフレームの両側に結合された状態で耳にかけて着用するものであって、一側端にはバッテリーを装着するための電源供給装置が形成され、他側端には制御スイッチ部が設置された眼鏡のテンプル；を含んで構成される。
前記制御スイッチ部は、バッテリー残量表示ランプ、溶接モード、カッティング／グラインディングモード及び敏感度を制御できるように形成され、溶接及びカッティング作業を選択して行えることを特徴とする有害閃光遮断と防眩用の電子保護眼鏡を提供する。
前記眼鏡のフレームは、前方フレーム及び後方フレームを含んで構成され、それらの間には、前記ＬＣＤレンズの枠が嵌められ、前記光センサーが収容されて装着される。また、前記前方フレームの中央には、前記光センサーが有害閃光を感知するための感知口が形成された状態で枠が後方に突出し、前記後方フレームは、前記前方フレームの枠の内部に収容されて締結されるように形成されながら、後方中央には前記鼻支え台の下部両側が結合されるように形成される。
前記鼻支え台には、前記弾性片の両側から前方に突出した端の一側にガイド突起が形成され、前記後方フレームには、前記ガイド突起が嵌められた状態で前記ガイド突起の動きを案内するためのガイド溝が形成される。
本発明は、眼鏡のフレームに結合され、前記眼鏡のフレームの突出した枠から左右側と下部側を延ばし、枠をカバーするための補助フレームを含んで構成される。また、着用者の顔面に密着するように軟質の外部ハウジングが二重射出を通して形成された側面保護フレームを備えたことを特徴とする。
前記電源供給装置は、コイン形態のバッテリーと、ヒンジが形成されたバッテリーカバーとを含んで形成され、有害閃光遮蔽用の電子保護眼鏡は、医療用の保護眼鏡、産業用の保護眼鏡、スポーツ用の眼鏡、サングラス、ファッション眼鏡のうち一つであり得る。
【発明の効果】
【０００６】
本発明の有害閃光遮断と防眩用の電子保護眼鏡によると、眼鏡形態でのカスタマイズ型設計をしながら医療用の施術、溶接、カッティング／グラインディングの作業が便利になるという効果がある。
また、鼻支え台が調節可能に形成されることによって、着用と使用がより便利になるという効果がある。
本発明の有害閃光遮蔽用の電子保護眼鏡によると、視力校正又は保護用の眼鏡の前に重ねて着用した場合にも、補助フレームが眼鏡の下と左右の隙間を塞ぐことによって、眼鏡着用者が安全且つ便利に使用できるという効果がある。
【図面の簡単な説明】
【０００７】
【図１】本発明が適用された有害閃光遮断と防眩用の電子保護眼鏡を示した斜視図である。
【図２】本発明が適用された有害閃光遮断と防眩用の電子保護眼鏡を示した分解斜視である。
【図３】本発明が適用された電子保護眼鏡の要部を示した分解斜視図である。
【図４】本発明が適用された電子保護眼鏡の要部を示した分解斜視図である。
【図５】本発明の電源供給装置が開放された状態を示した斜視図である。
【図６】本発明が適用された有害閃光遮断と防眩用の電子保護眼鏡の鼻支え台を示した断面図である。
【図７】本発明が適用された有害閃光遮断と防眩用の電子保護眼鏡の鼻支え台を示した断面図である。
【図８】本発明の有害閃光遮断と防眩用の電子保護眼鏡が適用された有害閃光遮蔽用の電子保護眼鏡の補助フレームが結合された状態を示した図である。
【図９】本発明の他の実施例の溶接、カッティング／グラインディング作業時に適用された有害閃光遮断と防眩用の電子保護眼鏡の斜視図である。
【図１０】本発明の透明カバーの結合斜視図である。
【図１１】本発明の有害閃光遮断と防眩用の電子保護眼鏡の制御スイッチ部の拡大図である。
【図１２】本発明の有害閃光遮断と防眩用の電子保護眼鏡の分解斜視図である。
【図１３】本発明の有害閃光遮断と防眩用の電子保護眼鏡の分解斜視図である。
【発明を実施するための形態】
【０００８】
以下、発明の望ましい実施例を添付の図面に基づいて具体的に説明する。
本発明の有害閃光遮蔽用の電子保護眼鏡は、図１ないし図１３に示したように、有害閃光を遮蔽するための一対のＬＣＤレンズと、前記一対のＬＣＤレンズが左右に嵌められた状態で顔に着用するものであって、枠は顔に密着するように後方に突出し、前記左右のＬＣＤレンズ間には有害閃光を感知するための光センサー２１０が設置された眼鏡のフレーム２００と、前記眼鏡のフレームの両側に結合された状態で耳にかけて着用するものであって、一側端にはバッテリーを装着するための電源供給装置３１０が形成され、他側端には制御スイッチ部３２０が設置され、電源供給装置３１０と制御スイッチ部３２０とを互いに連結するための回路線が形成された眼鏡のテンプル３００と、を含み、前記ＬＣＤレンズ１００が形成された前方部と、バッテリー及び制御部を含む制御スイッチ部３２０が形成された後方部とに保護眼鏡の重さを分散し、着用者に重さのバランスを与えるように構成される。
前記ＬＣＤレンズ１００は、目に映る有害閃光を遮蔽するためのものであって、左右一対で構成される。前記ＬＣＤレンズ１００は、有害閃光がない場合は透明であるが、有害閃光が映ると、暗く変わりながら有害閃光から着用者の目を保護する。前記ＬＣＤレンズ１００は、図２及び図３に示したように、眼鏡のフレーム２００によって結合されながら回路基板と連結され、後述する光センサー２１０及び制御スイッチ部３２０によって制御される。
前記眼鏡のフレーム２００は、前記一対のＬＣＤレンズ１００が左右に嵌められた状態で顔に着用するものであって、枠は顔に密着するように後方に突出し、前記左右のＬＣＤレンズ１００間には有害閃光を感知するための光センサー２１０が設置される。すなわち、前記眼鏡のフレーム２００は、前方中央の光センサー２１０を通して有害閃光を感知することによって前記ＬＣＤレンズ１００の作動を制御する一方、顔と密着することによって左右側面や下部を通して有害閃光が目に映ることを防止するように形成される。
前記眼鏡のフレーム２００は、実施例として、図２及び図３に示したように、前方フレーム２００ａ及び後方フレーム２００ｂを含んで構成され、それらの間には、前記ＬＣＤレンズ１００の枠が嵌められ、前記光センサー２１０が収容されて装着されるように形成される。このとき、前記前方フレーム２００ａの中央には、前記光センサー２１０が有害閃光を感知するための感知口２２０が形成された状態で枠が後方に突出し、前記後方フレーム２００ｂは、前記前方フレーム２００ａの枠の内部に収容されて締結されるように形成されながら、後方中央に前記鼻支え台４００の下部両側が結合されるように形成される。
一方、前記眼鏡のフレーム２００の前記後方フレーム２００ｂを通して、後述する鼻支え台４００の弾性片４１０が出入りしながら前記鼻支え台の勾配が調節されるが、前記後方フレーム２００ｂの中央下部には、前記係止突起４１０ａが係止され、勾配が調節されるように段２３０が形成される。前記鼻支え台４００の下部の両方を固定するために貫通口４００ｂが形成され、前記貫通口４００ｂに固定ピース４００ａが装着され、前記固定ピースが後方フレーム２００ｂの装着口４００ｃに装着されて固定される。また、前記後方フレーム２００ｂの段２３０の両側前方には、後述する前記鼻支え台４００のガイド突起４１０ｂが嵌められた状態でガイド突起４１０ｂの動きを案内するためのガイド溝４２０ａが形成される。
前記眼鏡のテンプル３００は、前記眼鏡のフレーム２００の両側に結合された状態で耳にかけて着用するものであって、一側端にはバッテリーを装着するための電源供給装置３１０が形成され、他側端には制御スイッチ部３２０が設置される。すなわち、前記眼鏡のテンプル３００は、図示したように、左右一対で構成されて前記眼鏡のフレームの両側に結合されるが、前記眼鏡のテンプル３００の内部を通して、前記電源供給装置と制御スイッチ部が前記ＬＣＤレンズ及び光センサーと回路的に連結される。
前記電源供給装置３１０は、図５に示したように、コイン形態のバッテリーと便利に交換されるようにヒンジが形成されたバッテリーカバー３３０が装着されることによって、カバーの開放時におけるバッテリーカバーの離脱を防止するように形成される。また、制御スイッチ部３２０は、前記電源供給装置３１０によって前記ＬＣＤレンズ１００をターンオン又はターンオフし、光センサー２１０を作動させる。前記電源供給装置と制御スイッチ部は、必要に応じて左側と右側の配列を異ならせるように形成することができる。
前記鼻支え台４００は、前記眼鏡のフレーム２００の中央後方に結合された状態で鼻の上に支えられて着用するものであって、下部両側は前記眼鏡のフレーム２００の両側に結合され、上部は、前記眼鏡のフレーム２００に対する角度を調節するように前記眼鏡のフレーム２００から傾斜して形成される。すなわち、前記鼻支え台４００は、前記眼鏡のフレーム２００の枠が顔に密着した状態で着用者の鼻の高低によって勾配を調節し、眼鏡のフレーム２００が流れ落ちないように便利に着用するものである。前記鼻支え台４００は、実施例として、図３及び図４に示したように、上部には、前方に突出した後、後方上側に折り曲げられながら、後方に折り曲げられた上部面に前後に多段の係止突起４１０ａが形成された弾性片４１０が形成される。一方、前記眼鏡のフレーム２００の後方フレーム２００ｂの中央連結部の下端には、前記係止突起４１０ａが係止されるように段２３０が形成される。したがって、このような構成によると、図示したように、前記弾性片４１０を押した状態で鼻支え台４００の上部を前後に動かしてから放すと、前記係止突起４１０ａ間の溝が前記段２３０に係止されて固定されることによって、鼻支え台４００とシリコン又はゴム材質のクッションカバー４２０の勾配が簡便に調節され、着用が便利になる。
図３及び図４に示したように、前記弾性片４１０の両側から前方に突出した端の一側にガイド突起４１０ｂが形成され、このガイド突起４１０ｂは、前記後方フレーム２００ｂのガイド溝２４０に嵌められた状態で移動する。また、前記鼻支え台４００は、後方両側に後方に突出した‘Ｌ’字状の嵌め突起４１０ｃが形成され、前記クッションカバー４２０の両側には、前記嵌め突起４１０ｃを押しながら嵌めて固定するための嵌め穴４２０ａが形成される一方、上部には、前記弾性片４１０の端が嵌められた状態で露出し、手で前記弾性片４１０を押せるようにプッシュホール４２０ｂが形成される。したがって、前記鼻支え台４００の後方に前記クッションカバー４２０を簡便且つ安定に嵌めて結合しながら、前記弾性片４１０を用いた勾配の調節が簡便に行われるようにする。本発明は、前記眼鏡のフレーム２００に結合され、前記眼鏡のフレーム２００の突出した枠から左右側と下部側を延ばし、枠をカバーするための補助フレーム５００を含んで構成される。すなわち、前記補助フレーム５００は、図８に示したように、使用者が視力校正のための眼鏡を着用している場合、前記眼鏡の厚さだけ前記眼鏡のフレーム２００の枠が顔から離隔する隙間を塞ぐためのものであって、前記眼鏡のフレーム２００と前記補助フレーム５００に突起と溝が形成されることによって、前記眼鏡のフレーム２００は、前記補助フレーム５００に簡便に嵌められたり、前記補助フレーム５００から簡便に分離される。
このとき、前記補助フレーム５００が眼鏡のフレーム２００に結合される場合は、前記鼻支え台４００が必要でないので、前記鼻支え台４００を分離して保管することができる。このような構成の本発明によると、眼鏡形態でのカスタマイズ型設計をしながら鼻支え台４００を調節可能にすることによって、着用と使用がより便利になり、視力保護用眼鏡の前に重ねて着用する場合にも、補助フレーム５００が眼鏡の下と左右の隙間を塞ぐことによって、眼鏡着用者も安全且つ便利に使用できるようになる。
本発明の他の実施例の図９ないし図１３に示したように、保護眼鏡は、溶接、カッティングとグラインディングなどの作業時に使用できるように下記のように形成された。
本発明は、有害閃光を遮蔽するための一対のＬＣＤレンズ１００；前記一対のＬＣＤレンズ１００が左右に嵌められた状態で顔に着用するものであって、枠は顔に密着するように後方に突出し、前記左右のＬＣＤレンズ間には有害閃光を感知するための光センサー２１０が設置された眼鏡のフレーム２００；及び前記眼鏡のフレームの両側に結合された状態で耳にかけて着用するものであって、一側端にはバッテリーを装着するための電源供給装置３１０が形成され、他側端には制御スイッチ部３２０が設置された眼鏡のテンプル３００；を含み、前記ＬＣＤレンズが形成された前方部と、バッテリー及び制御部を含む制御スイッチ部３２０が形成された後方部とに重さを分散し、着用者に重さのバランスを与えるように形成されたことを特徴とする。
前記バッテリーは電源供給装置３１０に挿入され、制御スイッチ部３２０には、溶接及びカッティング／グラインディングの作業時に選択して作業できるようにスイッチがそれぞれ形成された。前記電源供給装置３１０は、眼鏡のテンプル３００の左側又は右側面に設置され、本発明においては、図面に示したように、右側面にバッテリーが挿入された電源供給装置は、電源を供給するために形成された。また、バッテリー残量表示ランプ２５０は、バッテリーの残量を確認するために形成された。
前記本発明において、電源は、配列されたいずれかのボタンを押すとオン状態になり、溶接作業時には、溶接スイッチ２６０（Ｗ）を押した後、所望の濃度の黒化（９段階、１０段階、１１段階）状態の段階を選択する。カッティング／グラインディング作業時には、カッティング／グラインディングスイッチ２５０（Ｃ）を押した後、所望の状態の黒化（５段階、６段階）状態の段階を選択する。また、作業場又は作業用途の光の強さに対する反応敏感度を調節し、黒化状態に制御する敏感度（ＳＥＮＳＩＴＩＶＩＴＹ）スイッチ２７０（ＳＥ）で敏感度を選択し、作業環境に応じて敏感度を上（Ｈ）、中（Ｍ）、下（Ｌ）から選択した。
本発明は、光センサー２１０から入力される信号を通して溶接光（有害閃光）を検出し、特に、溶接又は切断時に発生する光を光センサーで検出し、反応敏感度に応じて黒化状態に制御する敏感度（ＳＥＮＳＩＴＩＶＩＴＹ）スイッチ２７０（ＳＥ）で敏感度を設定する。
溶接又は切断時に作業者を保護するためにＬＣＤレンズを黒化し、眩しさを防止するための技術は既に先行技術に開示されているので、これについての説明は省略する。
本発明は、前記有害閃光を遮蔽するための一対のＬＣＤレンズ１００の前方には、ＬＣＤレンズを保護するために便利に着脱するように側面に突出突起２２０'と離脱突起２８０が形成された透明カバー２９０が装着され、損傷時にレンズを保護するように形成されたことを特徴とする。
前記透明カバー２９０は、単独又は多数の保護フィルムが積層され、必要時に一重ずつ剥離できるように形成されることによって、損傷時に直ぐ剥離して作業できる有用な発明である。本発明の図１２及び図１３に示した本発明の眼鏡のフレーム３００は、前方フレーム２００ａ及び後方フレーム２００ｂを含んで構成される。
前記後方フレームには、上部の中央に多数の嵌め溝１１０が形成され、前記中央の左右側面に嵌め溝１２０が形成された。前記後方フレームの嵌め溝に結合されるように、上部側中央には嵌め突起１１０'が形成され、左右側面には嵌め突起１２０'が形成された。また、翼面１９０は、前記前方フレーム２００ａの側面を取り囲むように形成された。前記翼面１９０の側面に離脱突起１３０'と締結口１４０'が形成され、離脱突起１３０'と締結口１４０'が前記前方フレームの離脱溝１３０と締結突起１４０に結合されるように形成されることによって、離脱突起１３０'を引っ張ると、離脱突起１３０'及び締結口１４０'が離脱溝１３０及び締結突起１４０から離脱されるようにした。
前記離脱突起１３０'と締結口１４０'が形成された硬質の内部ハウジング１６０と、着用者の顔面に密着させるための軟質の外部ハウジング１７０とが二重射出を通して形成された側面保護フレーム５００―１が形成された。前記のように、側面保護フレーム５００―１の重さを最小限に減少させ、顔面に密着する部分には軟質の材質を使用し、結合部分には硬質の材質を使用して二重射出構造が形成された。
前記溶接作業又はカッティング／グラインディング作業時に隙間を与えないように目とＬＣＤレンズとの間を密閉し、有害ガス及び光が染み込むことを防止するように形成した。
前記側面保護フレーム５００―１は、離脱突起を引っ張ることによって容易に離脱され、締結口に締結突起が嵌められることによって結合される。本発明は、眼鏡のフレームの上部を除いた部分が翼面１９０で取り囲まれるように形成されたものであって、連結部分はハードな材質で形成された内部ハウジング１６０と、着用者の顔面に密着するように軟質の材質で形成された外部ハウジング１７０とが二重射出を通して形成された側面保護フレーム５００―１が備えられた。
前記のように眼鏡のフレームに側面保護フレームが形成され、前記側面保護フレームは、重さを最小化し、前方に重さが偏る現象を最大限に減少できるように形成されることによって、前後方が重さの均衡をなすように形成されたことを特徴とする。
【符号の説明】
【０００９】
１００    ＬＣＤレンズ
２００    眼鏡のフレーム
２００ａ    前方フレーム
２００ｂ    後方フレーム
２１０    光センサー
２２０    感知口
２３０    段
２４０    ガイド溝
３００    眼鏡のテンプル
３１０    電源供給装置
３２０    制御スイッチ部
３３０    バッテリーカバー
４００    鼻支え台
４１０    弾性片
４１０ａ    係止突起
４１０ｂ    ガイド突起
４１０ｃ    嵌め突起
４２０    クッションカバー
４２０ａ    嵌め溝
４２０ｂ    プッシュホール
５００    補助フレーム
【図１】
2014137597.tif 000003
【図２】
2014137597.tif 000004
【図３】
2014137597.tif 000005
【図４】
2014137597.tif 000006
【図５】
2014137597.tif 000007
【図６】
2014137597.tif 000008
【図７】
2014137597.tif 000009
【図８】
2014137597.tif 000010
【図９】
2014137597.tif 000011
【図１０】
2014137597.tif 000012
【図１１】
2014137597.tif 000013
【図１２】
2014137597.tif 000014
【図１３】
2014137597.tif 000015